(57)【要約】【課題】  多段の給紙棚を有する丁合機において、各給紙棚へのガイドの配置が簡単であるとともに、給紙棚に積み重ねる用紙束の厚みにかかわらず給紙ミスを発生しにくいガイドを備えた丁合機を提供すること。【解決手段】  多段の給紙棚１１を複数段に分割し、分割した複数段の給紙棚１１にまたがり各給紙棚１１に積み重ねた用紙Ｐの端縁に当接する回動自在のガイド軸１６を分割した複数段ごとに設置し、前記ガイド軸１６の給紙位置と対応する位置にめくれ上がり防止リング１８を固定する。【選択図】  図２
2005247493.tif 000002
【特許請求の範囲】
【請求項１】
多段の給紙棚を有し、各給紙棚から供給された１枚ごとの用紙を所定の順に積み重ねて搬出してなる丁合機において、前記多段の給紙棚を複数段に分割し、分割した複数段の給紙棚にまたがり各給紙棚に積み重ねた用紙の端縁に当接する移動自在のガイド軸を、分割した複数段ごとに設置してなることを特徴とする丁合機。
【請求項２】
前記ガイド軸に各給紙棚に積み重ねた用紙のめくれ上がりを防止する部材を固定してなることを特徴とする請求項１に記載の丁合機。
【請求項３】
前記ガイド軸は回動するアームに連結固定され、前記アームは丁合駆動とともに回動を禁止するブレーキを備えてなることを特徴とする請求項１又は請求項２に記載の丁合機。
【発明の詳細な説明】
【技術分野】
【０００１】
本発明は、丁合機、詳しくは給紙棚に積み重ねた用紙のガイドに関するものである。
【背景技術】
【０００２】
縦方向に多段の給紙棚を配置し、各給紙棚に積み重ねた用紙を１枚ごと所定の順に積み重ねて搬出してなる丁合機はよく知られている。このような丁合機では、各給紙棚に積み重ねた用紙を確実に給紙するために、各給紙棚に積み重ねた用紙の自由な移動を抑制するガイド板が設けられる。
【０００３】
図４は一つの給紙棚の給紙機構を示すもので、（ａ）は給紙棚に多数の用紙を積み重ねた丁合初期状態を示す側面図、（ｂ）は丁合が進み給紙棚の用紙の枚数が少数となった状態を示す側面図である。この図４において、１は用紙の残量に応じて昇降する給紙棚、２はガイド板、３は捌きエアを噴出すノズル、４は給紙ローラ、５は送りローラ、６は搬送ベルト、Ｐは用紙である。丁合時には、ノズル６から噴出すエアで１枚に捌かれた給紙棚上の用紙Ｐは給紙ローラ４で吸着して送りローラ５に送られ、搬送ベルト６上に他の給紙棚から搬出された用紙の上に積み重ねる。この積み重ねを多段の各給紙棚で行われて一冊分丁合いされる。
【０００４】
給紙棚１に多数の用紙Ｐを積み重ねて載置したとき、積み重ねた用紙Ｐの給紙側と反対側の端部に当接して、個別に用意した用紙Ｐの上下方向の移動をガイドするガイド板２を配置する。ガイド板２はその上端には給紙側に向けて折れ曲がる折曲片２ａが形成されており、この折曲片２ａにより捌きエアの吹き付けで用紙Ｐがめくれ上がって移動し、給紙ローラ４から外れてしまうことを防止するものである。
【０００５】
このようなガイド板２の給紙棚１から折曲片２ａまでの高さは、給紙棚１に積み重ねる用紙束の厚みの最大値以上とされている。そのために、給紙棚１に積み重ねる用紙Ｐの枚数を多くし、ガイド板２の高さを高くすると、丁合が進み給紙棚１の用紙の枚数が少数になるにしたがい給紙棚１が上昇し、図４（ｂ）に示すように捌きエアの吹き付けで最上部の用紙Ｐがめくれ上がってその端部が折曲片２ａに当接するまで大きく移動し、給紙ミスを発生するという問題がある。また、このようなガイド板２は個別に作成されているので紛失しやすく、さらには給紙棚１に用紙を載置する度に、多段の給紙棚１のそれぞれに個別に配置しなければならないという面倒な問題があった。
【発明の開示】
【発明が解決しようとする課題】
【０００６】
本発明が解決しようとする課題は、多段の給紙棚を有する丁合機において、各給紙棚へのガイドの配置が簡単であるとともに、給紙棚に積み重ねる用紙束の厚みにかかわらず給紙ミスを発生しにくいガイドを備えた丁合機を提供し、斯かる問題を解消する点である。
【課題を解決するための手段】
【０００７】
本発明は、多段の給紙棚を有し、各給紙棚から供給された１枚ごとの用紙を所定の順に積み重ねて搬出してなる丁合機において、前記多段の給紙棚を複数段に分割し、分割した複数段の給紙棚にまたがり各給紙棚に積み重ねた用紙の端縁に当接する移動自在のガイド軸を、分割した複数段ごとに設置してなることをなることを最も主要な特徴とする。
【発明の効果】
【０００８】
本発明によれば、ガイド軸を移動して給紙棚から退避させた状態で給紙棚に積み重ねた用紙を載置し、載置後ガイド軸を移動して積み重ねた用紙の端縁に当接する。この当接は一度に複数段の給紙棚について同時に行うことができ、給紙棚へのガイドの配置が簡単となる。また、ガイド軸は丁合機に設置しているので、紛失することがなく、また、給紙する所定のレベルに固定して用紙のめくれ上がりを防止する部材を設けることができるので、給紙棚に積み重ねる用紙Ｐの枚数にかかわらず常に用紙のめくれ上がり移動による給紙ミスを確実に防止することができ、給紙棚に載置する用紙の枚数を大幅に増加することができる。
【発明を実施するための最良の形態】
【０００９】
多段の給紙棚を有する丁合機において、各給紙棚へのガイドの配置が簡単であるとともに、給紙棚に積み重ねる用紙束の厚みにかかわらず給紙ミスを発生しにくいガイドを備えた丁合機を提供する目的を、丁合機の機枠に回動自在に固定したアームに連結したガイド軸を、複数段の給紙棚にまたがって設置することにより達成した。
【実施例１】
【００１０】
図１および図２は実施例に係る丁合機の構成を示す斜視図、図３は図１に示す丁合機における給紙棚の給紙機構の動作を示す説明図で（ａ）は給紙棚に多数の用紙を積み重ねた丁合初期状態を示す側面図、（ｂ）は丁合が進み給紙棚の用紙の枚数が少数となった状態を示す側面図である。
【００１１】
本実施例に係る丁合機Ａは、図１に示すように給紙棚１１を縦方向に６段配列して構成され、各給紙棚１１の給紙機構自体は図４に示す従来の給紙機構と同様である。図１における１２は、各給紙棚１１の側部に沿って位置する機枠であり、この機枠１２の端面１２ａに、３段分の給紙棚１１に対応する間隔を隔てて取付金具１３が固着され、この取付金具１３に３段分の給紙棚１１に対応する２本の支点軸１４がそれぞれ回転自在に取付けられている。
【００１２】
各１本の支点軸１４の取付金具１３に位置する一方の端部に電磁ブレーキ１７がそれぞれ設置され、また支点軸１４の両端にはそれぞれアーム１５が固定され、このアーム１５の先端に、両端のアーム１５間に伸びるガイド軸１６が固定されている。すなわち、ガイド軸１６は３段分の給紙棚１１ごとにまたがって伸び、電磁ブレーキ１５が開放されている場合にはそれぞれ支点軸１４を支点として３段分の給紙棚１１に接近、離間する方向に自在に回動する。
【００１３】
各給紙棚１１には、ガイド軸１６が移動する切欠き１１ａが形成され、この切欠き１１ａの寸法は給紙棚１１に載置する最小寸法の用紙の端部の中央部に位置する寸法とされている。ガイド軸１６には、各給紙棚１１が給紙する位置と対応する所定のレベルに用紙のめくれ上がりを防止する部材、この実施例ではリング１８が固定されている。
【００１４】
このように構成した丁合機Ａで丁合を行う場合、図１に示すようにガイド軸１６を回動して給紙棚１１から退避させ、各給紙棚１１に丁合する用紙を積み重ねて載置する。そのあとガイド軸１６を回動して図２に示すように積み重ねた用紙Ｐの端部に当接し、丁合機Ａを駆動する。電磁ブレーキ１７は丁合機Ａの駆動と連動するようにされており、丁合機Ａの駆動によって電磁ブレーキ１７が動作しガイド軸１６の移動を禁止する。
【００１５】
この禁止により図３（ａ）に示すように、ガイド軸１６は積み重ねた用紙Ｐの端部に当接した状態を維持し、ガイド軸１６に固定しためくれ上がりを防止するリング１８は給紙棚１１に積み重ねた最上部の用紙Ｐの近傍上方に位置し、これにより給紙を確実に行うことができる。
【００１６】
丁合が進められると給紙棚１１に積み重ねた用紙Ｐの枚数は減少し、その減少に応じて給紙棚１１は上昇する。このときめくれ上がりを防止するリング１８はガイド軸１６に固定されているので、図３（ｂ）に示すように減少した枚数の最上部の用紙Ｐの近傍上方に位置し、これにより給紙棚１１に積み重ねた用紙Ｐの枚数が減少しても給紙を確実に行うことができる。
【００１７】
以上の実施例に係る丁合機Ａでは、給紙棚１１を縦方向に６段配列して構成し、給紙棚１１を３段ごとに分割して各３段ごとの給紙棚１１にまたがってガイド軸１６を設けているが、給紙棚の段数は任意であり、また、分割する段数も任意である。また、ガイド軸１６の移動を電動機などで制御するようにしてもよい。
【図面の簡単な説明】
【００１８】
【図１】本発明の実施例に係る丁合機の構成を用紙載置前の状態で示す斜視図である。
【図２】本発明の実施例に係る丁合機の構成を用紙載置後の状態で示す斜視図である。
【図３】本発明の実施例に係る丁合機の給紙動作の説明図である。
【図４】従来の丁合機における給紙動作の説明図である。
【符号の説明】
【００１９】
３  捌きエア噴出しノズル
４  吸着ローラ
５  送りローラ
６  搬送ベルト
１１  給紙棚
１２  機枠
１３  取付金具
１４  支点軸
１５  アーム
１６  ガイド軸
１７  電磁ブレーキ
１８  めくれ上がり防止リング
Ａ  丁合機
Ｐ  用紙
【図１】
2005247493.tif 000003
【図２】
2005247493.tif 000004
【図３】
2005247493.tif 000005
【図４】
2005247493.tif 000006